(57)【要約】【課題】サドルに乗ってペタルを漕いでいる間、臀部に良好なマッサージ効果をもたらすサドルカバーを提供する。【解決手段】柔軟な材質からなるカバー本体１６と、カバー本体１６の臀部当接部分に配設された突条部材１８とを備えている。カバー本体１６の、前部の所定間隔を置いた２箇所と後部の１箇所にそれぞれリング状の紐留め２６、あるいは貫通孔３４を設け、これらの紐留め２６や貫通孔３４に、カバー本体１６をサドル２０に固定する紐２４を挿通させて配設した。サドル２０に乗ってペタルを漕ぐことにより、突条部材１８が臀部に程良いマッサージ効果をもたらす。【選択図】図１
2006232001.tif 000002
【特許請求の範囲】
【請求項１】
柔軟な材質からなるカバー本体と、
前記カバー本体の臀部当接部分に配設された突条部材とを備えたことを特徴とするサドルカバー。
【請求項２】
請求項１に記載のサドルカバーにおいて、
前記カバー本体の、前部の所定間隔を置いた２箇所と後部の１箇所にそれぞれリング状の紐留めを設け、
前記カバー本体をサドルに固定する紐を、前記紐留めに挿通させて設けたことを特徴とするサドルカバー。
【請求項３】
請求項１に記載のサドルカバーにおいて、
前記カバー本体の、前部の所定間隔を置いた２箇所と後部の１箇所にそれぞれ貫通孔を設け、
前記カバー本体をサドルに固定する紐を、前記貫通孔に挿通させて設けたことを特徴とするサドルカバー。
【請求項４】
請求項１に記載のサドルカバーにおいて、
前記突条部材は、ゴム又はプラスチック製の弾性ボールであることを特徴とするサドルカバー。
【請求項５】
請求項１に記載のサドルカバーにおいて、
前記突条部材は、ゴム又はプラスチック製のクッション板の一面に、複数個の、球状又は半球状の弾性部材を配設したものであることを特徴とするサドルカバー。
【請求項６】
請求項１に記載のサドルカバーにおいて、
前記カバー本体の臀部当接部分にポケットを設け、
前記ポケットに、前記突条部材を収納した包袋を挿置したことを特徴とするサドルカバー。
【請求項７】
請求項１に記載のサドルカバーにおいて、
前記カバー本体の臀部当接部分にポケットを設け、
前記ポケットに、前記突条部材を収納した２つの包袋を並列に配置すると共に、前記２つの包袋の後側面に接するように棒状クッションを配置したことを特徴とするサドルカバー。
【請求項８】
請求項７に記載のサドルカバーにおいて、
前記突条部材を収納した２つの包袋を、ほぼ同じ大きさのクッションと重ね合わせて前記カバー本体の臀部当接部分に配置したことを特徴とするサドルカバー。
【請求項９】
請求項１に記載のサドルカバーにおいて、
前記カバー本体の臀部当接部分にポケットを設け、
前記ポケットに、前記突条部材を収納した1本の棒状包袋をＵ字状に屈曲させて配置したことを特徴とするサドルカバー。
【請求項１０】
請求項１に記載のサドルカバーにおいて、
前記カバー本体は、前記サドル全面を覆う形状とされ、開口周囲に沿って設けた紐通し通路にゴム紐を通したものであることを特徴とするサドルカバー。
【発明の詳細な説明】
【技術分野】
【０００１】
本発明は、路面走行する自転車あるいはスポーツジム等に置かれているエアロバイク等のサドルに取付けて使用されるサドルカバーに関する。
【背景技術】
【０００２】
従来から自転車のサドルカバーとしてはいろいろ工夫されたものが案出されている。例えば、路面の凹凸による衝撃を吸収するために２枚のメッシュ地を、張りのある無数の連結糸によって結びつけて、厚みのあるシート状に編成した立体メッシュシートを素材として用いたもの（特許文献１参照）、また、座り心地をよくするために硬質のサドルカバーの下にクッション材を配置したもの（特許文献２参照）、また、サドルが濡れるのを防ぐために、水を浸透させない柔軟性のある材質からなるシートを用いたもの（特許文献３参照）等沢山ある。
【特許文献１】特開２００１−１３８９７１号公報
【特許文献２】特開２０００−１６３６４号公報
【特許文献３】登録実用新案第３０３４６４４号公報
【発明の開示】
【発明が解決しようとする課題】
【０００３】
ところが、従来構造のサドルカバーでは、次のようなマッサージ効果は殆ど期待できない。
すなわち、自転車のペタルを漕いるときサドルに乗っている臀部は、サドル上面に対して接離作用を繰り返している。本発明者は、このような現象に鑑み、サドル上面に適度な硬度の突起物を適正配置しておくことによって臀部にマッサージ効果を付与し、臀部の体脂肪を削減すると共に、これが全身の健康と美容にも貢献することを見いだした。従来のサドルカバーでは、臀部のマッサージ効果を目的としていないため、臀部に柔らかすぎたり、局部的に突起部があってもなんらのマッサージ効果も奏し得ないものであった。
本発明は、以上の点に着目してなされたもので、サドルに乗ってペタルを漕いでいる間、臀部に良好なマッサージ効果をもたらすサドルカバーを提供することを目的とする。
【課題を解決するための手段】
【０００４】
本発明の各実施例においては、それぞれ次のような構成により上記の課題を解決する。
〈構成１〉
柔軟な材質からなるカバー本体と、上記カバー本体の臀部当接部分に配設された突条部材とを備えたことを特徴とするサドルカバー。
【０００５】
サドルに乗ってペタルを漕ぐことにより、突条部材が臀部に程良いマッサージ効果をもたらす。このマッサージ効果は、臀部の体脂肪を削減すると共に全身の美容と健康を促進する働きをする。
【０００６】
〈構成２〉
構成１に記載のサドルカバーにおいて、上記カバー本体の、前部の所定間隔を置いた２箇所と後部の１箇所にそれぞれリング状の紐留めを設け、上記カバー本体をサドルに固定する紐を、上記紐留めに挿通させて設けたことを特徴とするサドルカバー。
【０００７】
カバー本体と紐はフリーサイズであり、形状、構造の異なるサドルにも自由に取付け可能である。紐をリング状の紐留めに通しておくことにより、紐を締めるときに締め易い。紐でカバー本体をサドルにしっかり固定することにより、ペタルを安定した姿勢で漕ぐことができ、安全運転を図ることができる。
【０００８】
〈構成３〉
構成１に記載のサドルカバーにおいて、上記カバー本体の、前部の所定間隔を置いた２箇所と後部の１箇所にそれぞれ貫通孔を設け、上記カバー本体をサドルに固定する紐を、上記貫通孔に挿通させて設けたことを特徴とするサドルカバー。
【０００９】
カバーの構成を簡素化できる。
【００１０】
〈構成４〉
構成１に記載のサドルカバーにおいて、上記突条部材は、ゴム又はプラスチック製の弾性ボールであることを特徴とするサドルカバー。
【００１１】
弾性ボールの使用個数や大きさ等を、使用状況に応じて自由に選択できる。
【００１２】
〈構成５〉
構成１に記載のサドルカバーにおいて、上記突条部材は、ゴム又はプラスチック製のクッション板の一面に、複数個の、球状又は半球状の弾性部材を配設したものであることを特徴とするサドルカバー。
【００１３】
球状又は半球状の弾性部材とクッション板とを組み合わせることにより、弾性部材のみでは得られない独自のマッサージ効果が得られる。
【００１４】
〈構成６〉
構成１に記載のサドルカバーにおいて、上記カバー本体の臀部当接部分にポケットを設け、上記ポケットに、上記突条部材を収納した包袋を挿置したことを特徴とするサドルカバー。
【００１５】
突条部材として、例えば数多くの弾性ボールを使用している場合には、弾性ボールの紛失を防止すると共に使用個数を自在に調節できる。
【００１６】
〈構成７〉
構成１に記載のサドルカバーにおいて、上記カバー本体の臀部当接部分にポケットを設け、上記ポケットに、上記突条部材を収納した２つの包袋を並列に配置すると共に、上記２つの包袋の後側面に接するように棒状クッションを配置したことを特徴とするサドルカバー。
【００１７】
２つの包袋と１つの棒状クッションを用いたスリーピースタイプである。これらスリーピースを三角形の各頂点となる位置にそれぞれ配置することにより、２つの包袋を、１つの棒状クッションで固定することとなって、２つの包袋の位置ずれが防止され、しかも臀部の収まりのよい感じが得られる。
【００１８】
〈構成８〉
構成７に記載のサドルカバーにおいて、上記突条部材を収納した２つの包袋を、ほぼ同じ大きさのクッションと重ね合わせて上記カバー本体の臀部当接部分に配置したことを特徴とするサドルカバー。
【００１９】
突条部材とクッションとの組み合わせにより、より適度なマッサージ効果が得られる。しかも包袋とクッションが分離しているので、組み合わせで自由に調整できる。
【００２０】
〈構成９〉
構成１に記載のサドルカバーにおいて、上記カバー本体の臀部当接部分にポケットを設け、上記ポケットに、上記突条部材を収納した1本の棒状包袋をＵ字状に屈曲させて配置したことを特徴とするサドルカバー。
【００２１】
ポケットには1本の棒状包袋のみを配置することになるので、部品が少なくて組み立てが簡単である。
【００２２】
〈構成１０〉
構成１に記載のサドルカバーにおいて、上記カバー本体は、上記サドル全面を覆う形状とされ、開口周囲に沿って設けた紐通し通路にゴム紐を通したものであることを特徴とするサドルカバー。
【００２３】
ゴム紐で開口周囲をつぼめることにより、カバー本体をサドルにしっかりと装着することができる。
【発明を実施するための最良の形態】
【００２４】
以下、本発明の実施の形態を実施例ごとに詳細に説明する。
【実施例１】
【００２５】
図１は本発明の実施例１を示す図で、（ａ）は表面の斜視図、（ｂ）は裏面の斜視図である。図２は同実施例の取付け図である。
実施例１のサドルカバー１２は、柔軟な材質の布や皮革等からなるカバー本体１６と、このカバー本体１６に配設された突条部材１８とから構成されている。
【００２６】
カバー本体１６は、図２に示すように、全体平面形状が自転車のサドル２０上の中間部からその後方の上面を覆う程度の大きさの円弧状に形成されている。カバー本体１６の臀部当接部分（サドル２０に取付けたカバー本体１６の上に臀部を乗せたときに、当該臀部が当接する両側部分）２１に、２つのポケット２２が左右対称に設けられている。これらのポケット２２にそれぞれ突条部材１８が収納されている。
【００２７】
これらのポケット２２は、カバー本体１６とは別個に形成されて１枚の布や皮革等からなるカバー本体１６の裏面に貼り付けられたもの、あるいは、２枚以上の布や皮革等を重ね合わせてなるカバー本体１６の中間層にしきり糸を縫付けて設けられたもののいずれでもよい。
【００２８】
突条部材１８としては、例えば軟質のゴム又はプラスチックにより球状に成形され、弾力性を有する弾性ボールが使用されている。弾性ボールは、適当な数がポケット２２内に収納され、カバー本体１６の表面に凹凸面を形成する。
【００２９】
カバー本体１６の裏側には、カバー本体１６をサドル２０に固定するための紐２４が配設されている。カバー本体１６の前部の所定間隔を置いた２箇所と後部の１箇所にそれぞれリング状の紐留め２６が装着されている。紐２４は、これらの３箇所の紐留め２６に挿通されて両端が結わえられ、略三角形をなすように取付けられている。
【００３０】
サドルカバー１２は、使用するときには図２に示すように、通常の路面走行の自転車あるいはスポーツジム等に置かれたエアロバイク等のサドル２０にカバー本体１６を被せ、紐２４をサドル２０の下側の支持軸２８の周りに巻き付けるようにして取付けられる。自転車走行中にサドルカバー１２が外れたり、外れかかると、気が散って安全運転に支障をきたす。このため、サドルカバー１２はサドル２０にしっかり固定されている必要がある。
【００３１】
図３は突条部材１８の他の例を示している。すなわち、図３に示すように、球状あるいは半球状の弾性部材３０の複数個を、平板状のクッション部材３２の一面に並列に配置し、これらを一体に装着したものである。球状あるいは半球状の弾性部材３０は、軟質のゴム又はプラスチックからなり適度の弾力性を有している。また、弾性部材３０と平板状のクッション部材３２とは同一材料でも異なる材料でもいずれでもよい。
【実施例２】
【００３２】
図４は本発明の実施例２を示す斜視図である。
この実施例２のサドルカバー１２Ａは、カバー本体１６Ａと突条部材１８Ａとを一体に構成したものである。すなわち、カバー本体１６は、柔軟な材質のゴム又はプラスチックから構成され、この一面に、ゴム又はプラスチックからなる複数個の球状あるいは半球状の突条部材１８Ａを一体に装着したものである。
【００３３】
カバー本体１６Ａの、前部の所定間隔を置いた２箇所と後部の１箇所にそれぞれ貫通孔３４が設けられている。これらの貫通孔３４Ａに、カバー本体１６をサドル２０に固定するための紐２４Ａが挿通されている。
このようなサドルカバー１２Ａは、構造が簡単であり、大量かつ安価に製造するのに好適である。
【実施例３】
【００３４】
図５は本発明の実施例３を示す図で、（ａ）は平面図、（ｂ）は背面図である。図６は同実施例の取付け図である。
この実施例３のサドルカバー１２Ｂは、図６に示すように、サドル２０の全面をすっぽり覆う大きさのカバー本体１６Ｂを使用したものである。このカバー本体１６Ｂの裏側の開口部３５は、図５（ｂ）に示すように紐通し通路が設けられ、この紐通し通路にゴム紐が挿入されて開閉伸縮自在とされている。従って、開口部３５は、カバー本体１６Ｂをサドル２０に取付ける場合は拡げられ、取付け後にはゴム弾力でつぼまり、カバー本体１６Ｂをサドル２０に固定する。
【００３５】
カバー本体１６の臀部当接部分に、左右２つのポケット２２Ｂが設けられている。これらのポケット２２Ｂの入口に開閉布３６が設けられている。この開閉布３６は、ホック３８あるいは図示しないが面ファスナのようなもので着脱自在に留められてポケット２２Ｂの入口を開閉する。
【００３６】
各ポケット２２Ｂに、図７（ａ）に示したような突条部材１８を収納した包袋４０を２個と、図７（ｂ）に示したような棒状クッション４２を１個が挿置される。図８にこの状況を示している。すなわち、図８に示すように、２個の包袋４０と１個の棒状クッション４２とを三角形の各頂点の位置にそれぞれ配置することにより、２つの包袋４０を、１つの棒状クッション４２で固定することとなって、位置ずれが防止され、しかも長時間に亘っても臀部の収まりのよい感じが得られる。
【００３７】
なお、包袋４０は柔軟な材質の布や皮革等からなる袋で、複数の弾性ボールあるいは図３に示した構成の突条部材を出し入れ自在に収納している。棒状クッション４２は、例えば適度の硬度を有するスポンジを柔軟な材質の布や皮革等で包んだものである。
【実施例４】
【００３８】
図９は本発明の実施例４を示す説明図である。
この実施例４のサドルカバー１２Ｃは、カバー本体１６Ｃの臀部当接部分にポケット２２Ｃを設け、ポケット２２Ｃに、1本の棒状包袋４４をＵ字状に屈曲させて配置したものである。棒状包袋４４は柔軟な材質の布や皮革等からなる袋で、この両側に複数の弾性ボール等の適当な突条部材１８を収納している。ポケット２２Ｃの形状は、Ｕ字状に形成されてもよいが、図５（ａ）に示した２つのポケット２２Ｂ、あるいは、１つの大きなポケットと同様に形成されてもよい。
このようなサドルカバー１２Ｃは、構造が簡単であるが、臀部に対して良好なマッサージ効果をもたらす。
【実施例５】
【００３９】
図１０は本発明の実施例５を示す説明図である。
実施例５のサドルカバーは、図１０に示すように、突条部材１８を収納した２つの包袋４０と、これらの包袋４０とほぼ同じ大きさのクッション４８とを重ね合わせたものを使用するものである。すなわち、２組の包袋４０およびクッション４８と、棒状クッション４８とを、図８に示した場合と同様に、カバー本体の臀部当接部分のポケット内に配置したものである。棒状クッション４８は、その両端部が２組の包袋４０に沿って湾曲するように形成されてもよい。
【００４０】
このように突条部材として包袋４０とクッション４８とを重ね合わせたものを使用することにより、適度なマッサージ効果が得られるような調整が可能であり、しかも臀部を左右にバランスよく乗せることができる。
棒状クッション４８を、その両端部が２組の包袋４０に沿って湾曲するように形成することにより、カバー本体のポケット内にすっきり収まり外観的にもスマートに見える。
【図面の簡単な説明】
【００４１】
【図１】本発明の実施例１を示す図で、（ａ）は表面の斜視図、（ｂ）は裏面の斜視図である。
【図２】同実施例の取付け図である。
【図３】突条部材の他の例を示す図で、（ａ）は正面図、（ｂ）は斜視図である。
【図４】本発明の実施例２を示す斜視図である。
【図５】本発明の実施例３を示す図で、（ａ）は平面図、（ｂ）は背面図である。
【図６】実施例３の取付け図である。
【図７】同実施例で使用する部品を示す平面図である。
【図８】同部品を所定位置に収納した状態を示す説明図である。
【図９】本発明の実施例４を示す説明図である。
【図１０】本発明の実施例５を示す説明図である。
【符号の説明】
【００４２】
１２  サドルカバー
１６  カバー本体
１８  突条部材
２０  サドル
２１  臀部当接部分
２２  ポケット
２４  紐
２６  紐留め
２８  支持軸
３０  弾性部材
３２  クッション部材
３４  貫通孔
３５  開口部
３６  開閉布
３８  ホック
４０  包袋
４２  棒状クッション
４４  棒状包袋
４６  クッション
【図１】
2006232001.tif 000003
【図２】
2006232001.tif 000004
【図３】
2006232001.tif 000005
【図４】
2006232001.tif 000006
【図５】
2006232001.tif 000007
【図６】
2006232001.tif 000008
【図７】
2006232001.tif 000009
【図８】
2006232001.tif 000010
【図９】
2006232001.tif 000011
【図１０】
2006232001.tif 000012